【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
通電されて発熱する発熱素子（５１）と、
前記発熱素子の一方の面に接触して固定されており、前記発熱素子に通電する第１金属板（３１）と、
前記発熱素子の他方の面に接触して固定されており、前記発熱素子に通電する第２金属板（４１）とを有しており、
前記第１金属板と前記第２金属板との少なくとも一方は、前記発熱素子との接触部分を前記発熱素子に向けて押し付ける押付部（４４、３４４、３３４、４４４、４３４、５４４、５３４、６３４）を有し、
前記押付部は、自らの弾性により撓むことができ、前記接触部分の平行移動を許容する燃料加熱装置。
【請求項２】
前記押付部（４４、３４４、３３４、４４４、４３４、６３４）は、前記接触部分の周囲に形成されている請求項１に記載の燃料加熱装置。
【請求項３】
通電されて発熱する発熱素子（５１）と、
前記発熱素子の一方の面に接触して固定されており、前記発熱素子に通電する第１金属板（３１）と、
前記発熱素子の他方の面に接触して固定されており、前記発熱素子に通電する第２金属板（４１）とを有しており、
前記第１金属板と前記第２金属板との少なくとも一方は、前記発熱素子との接触部分を前記発熱素子に向けて押し付ける押付部（４４、３４４、３３４、４４４、４３４、５４４、５３４、６３４）を有し、
前記押付部（４４、３４４、３３４、４４４、４３４、６３４）は、前記接触部分の周囲に形成されている燃料加熱装置。
【請求項４】
前記押付部（４３４、６３４）は、前記接触部分の周囲において、前記発熱素子の周面と接触して前記発熱素子の移動を制限している請求項１から請求項３のいずれかに記載の燃料加熱装置。
【請求項５】
通電されて発熱する発熱素子（５１）と、
前記発熱素子の一方の面に接触して固定されており、前記発熱素子に通電する第１金属板（３１）と、
前記発熱素子の他方の面に接触して固定されており、前記発熱素子に通電する第２金属板（４１）とを有しており、
前記第１金属板と前記第２金属板との少なくとも一方は、前記発熱素子との接触部分を前記発熱素子に向けて押し付ける押付部（４４、３４４、３３４、４４４、４３４、５４４、５３４、６３４）を有し、
前記押付部（４３４、６３４）は、前記接触部分の周囲において、前記発熱素子の周面と接触して前記発熱素子の移動を制限している燃料加熱装置。
【請求項６】
前記押付部は、ひだ状突部（４４４、４３４、５４４、５３４、６３４）である請求項１から請求項５のいずれかに記載の燃料加熱装置。
【請求項７】
通電されて発熱する発熱素子（５１）と、
前記発熱素子の一方の面に接触して固定されており、前記発熱素子に通電する第１金属板（３１）と、
前記発熱素子の他方の面に接触して固定されており、前記発熱素子に通電する第２金属板（４１）とを有しており、
前記第１金属板と前記第２金属板との少なくとも一方は、前記発熱素子との接触部分を前記発熱素子に向けて押し付ける押付部（４４、３４４、３３４、４４４、４３４、５４４、５３４、６３４）を有し、
前記押付部は、ひだ状突部（４４４、４３４、５４４、５３４、６３４）である燃料加熱装置。
【請求項８】
前記押付部は、前記発熱素子に向けて突出した台形状突部（４４、３４４、３３４）である請求項１から請求項７のいずれかに記載の燃料加熱装置。
【請求項９】
通電されて発熱する発熱素子（５１）と、
前記発熱素子の一方の面に接触して固定されており、前記発熱素子に通電する第１金属板（３１）と、
前記発熱素子の他方の面に接触して固定されており、前記発熱素子に通電する第２金属板（４１）とを有しており、
前記第１金属板と前記第２金属板との少なくとも一方は、前記発熱素子との接触部分を前記発熱素子に向けて押し付ける押付部（４４、３４４、３３４、４４４、４３４、５４４、５３４、６３４）を有し、
前記押付部は、前記発熱素子に向けて突出した台形状突部（４４、３４４、３３４）である燃料加熱装置。
【請求項１０】
さらに、前記第１金属板および前記第２金属板が固定されているフレーム（２１）を有する請求項１から請求項９のいずれかに記載の燃料加熱装置。
【請求項１１】
前記フレームは、前記第１金属板と前記発熱素子とが接触する第１接触部分の背後において前記第１金属板を支える支持部（２４）を有しており、
前記第２金属板は前記押付部を有する請求項１０に記載の燃料加熱装置。
【請求項１２】
前記第１金属板と前記第２金属板との両方が前記押付部を有する請求項１から請求項１１のいずれかに記載の燃料加熱装置。
【請求項１３】
前記第１金属板と前記第２金属板とは、燃料を流す通路を形成する壁（２４６）を提供する請求項１から請求項１２のいずれかに記載の燃料加熱装置。
【請求項１４】
燃料を濾過するフィルタエレメント（６）と、
フィルタエレメントを収容するケース（７、８）と、
前記ケース内に収容された請求項１から請求項１３のいずれかに記載の燃料加熱装置とを備える燃料フィルタ装置。
【手続補正２】
【補正対象書類名】明細書
【補正対象項目名】０００７
【補正方法】変更
【補正の内容】
【０００７】
ここに開示された第１の燃料加熱装置は、通電されて発熱する発熱素子（５１）と、発熱素子の一方の面に接触して固定されており、発熱素子に通電する第１金属板（３１）と、発熱素子の他方の面に接触して固定されており、発熱素子に通電する第２金属板（４１）とを有しており、第１金属板と第２金属板との少なくとも一方は、発熱素子との接触部分を発熱素子に向けて押し付ける押付部（４４、３４４、３３４、４４４、４３４、５４４、５３４、６３４）を有し、押付部は、自らの弾性により撓むことができ、接触部分の平行移動を許容する。
【手続補正３】
【補正対象書類名】明細書
【補正対象項目名】０００９
【補正方法】変更
【補正の内容】
【０００９】
ここに開示された第２の燃料加熱装置は、通電されて発熱する発熱素子（５１）と、発熱素子の一方の面に接触して固定されており、発熱素子に通電する第１金属板（３１）と、発熱素子の他方の面に接触して固定されており、発熱素子に通電する第２金属板（４１）とを有しており、第１金属板と第２金属板との少なくとも一方は、発熱素子との接触部分を発熱素子に向けて押し付ける押付部（４４、３４４、３３４、４４４、４３４、５４４、５３４、６３４）を有し、押付部（４４、３４４、３３４、４４４、４３４、６３４）は、接触部分の周囲に形成されている。
ここに開示された第３の燃料加熱装置は、通電されて発熱する発熱素子（５１）と、発熱素子の一方の面に接触して固定されており、発熱素子に通電する第１金属板（３１）と、発熱素子の他方の面に接触して固定されており、発熱素子に通電する第２金属板（４１）とを有しており、第１金属板と第２金属板との少なくとも一方は、発熱素子との接触部分を発熱素子に向けて押し付ける押付部（４４、３４４、３３４、４４４、４３４、５４４、５３４、６３４）を有し、押付部（４３４、６３４）は、接触部分の周囲において、発熱素子の周面と接触して発熱素子の移動を制限している。
ここに開示された第４の燃料加熱装置は、通電されて発熱する発熱素子（５１）と、発熱素子の一方の面に接触して固定されており、発熱素子に通電する第１金属板（３１）と、発熱素子の他方の面に接触して固定されており、発熱素子に通電する第２金属板（４１）とを有しており、第１金属板と第２金属板との少なくとも一方は、発熱素子との接触部分を発熱素子に向けて押し付ける押付部（４４、３４４、３３４、４４４、４３４、５４４、５３４、６３４）を有し、押付部は、ひだ状突部（４４４、４３４、５４４、５３４、６３４）である。
ここに開示された第５の燃料加熱装置は、通電されて発熱する発熱素子（５１）と、発熱素子の一方の面に接触して固定されており、発熱素子に通電する第１金属板（３１）と、発熱素子の他方の面に接触して固定されており、発熱素子に通電する第２金属板（４１）とを有しており、第１金属板と第２金属板との少なくとも一方は、発熱素子との接触部分を発熱素子に向けて押し付ける押付部（４４、３４４、３３４、４４４、４３４、５４４、５３４、６３４）を有し、押付部は、発熱素子に向けて突出した台形状突部（４４、３４４、３３４）である。
ここに開示された燃料フィルタ装置は、燃料を濾過するフィルタエレメント（６）と、フィルタエレメントを収容するケース（７、８）と、ケース内に収容された上記の燃料加熱装置とを備える。この開示によると、部品点数の少ない燃料フィルタ装置が提供される。